(57)【特許請求の範囲】
【請求項１】
光を出射する第１および第２の発光ユニットと、
前記第１の発光ユニットおよび前記第２の発光ユニットとの間に設けられ、前記第１の発光ユニットに対向する第１の面から入射される光に対する反射率が、前記第２の発光ユニットに対向する第２の面から入射される光に対する反射率よりも高く、前記第２の面から入射される光に対する透過率が前記第１の面から入射される光に対する透過率よりも高い半透過反射部材と、
を具備し、前記第１の発光ユニットは、第１の導光板と、前記第１の導光板の両側の端面にそれぞれ設けられた一対の第１の光源と、を有し、前記半透過反射部材は、前記第１の導光板の前記第２の発光ユニットに対向する、前記第１の導光板の面に設けられているバックライト装置と、
前記第１の発光ユニットに対して、前記第２の発光ユニットの反対側に設けられた液晶表示パネルと、
を備え、
２次元映像表示時に前記第１の発光ユニットは光を出射するが前記第２の発光ユニットは光を出射せず、
３次元映像表示時に前記第１の発光ユニットは光を出射せず前記第２の発光ユニットは光を出射することを特徴とする表示装置。
【請求項２】
前記第１の発光ユニットと前記第２の発光ユニットの間にプリズムシートを有することを特徴とする請求項１記載の表示装置。
【請求項３】
前記半透過反射部材と、前記第２の発光ユニットとの間にプリズムもしくはレンズの特性を有する光学シートが設けられている請求項１記載の表示装置。
【請求項４】
前記第２の発光ユニットは、第２の導光板と、前記第２の導光板の両側の端面にそれぞれ設けられた一対の第２の光源と、を有し、
前記第２の導光板の、前記第１の発光ユニットと対向した側の面と反対側の面に、全面または部分的に第１の反射部材が更に設けられている請求項１記載の表示装置。
【請求項５】
前記第２の発光ユニットは、前記半透過反射部材に対して前記第１の発光ユニットと対向した側と反対側の面に沿って配列された複数の光源を有する発光ユニットである請求項１記載の表示装置。
【請求項６】
前記第２の発光ユニットは、前記複数の光源と、前記第１の発光ユニットとの間に設けられた光線制御部を更に備えている請求項５記載の表示装置。
【請求項７】
前記第２の発光ユニットは、第２の導光板と、前記第２の導光板の両側の端面にそれぞれ設けられた一対の第２の光源と、を有し、
前記第２の発光ユニットに対して前記第１の発光ユニットが配置された側と反対側に第３の発光ユニットが更に設けられ、
前記第３の発光ユニットは、第３の導光板と、前記第３の導光板の両側の端面にそれぞれ設けられた一対の第３の光源と、を有し、
前記第２の導光板の、前記第１の発光ユニットが配置された側の面と反対側の面の両側の領域に第１の反射部材が設けられ、
前記第３の導光板の、前記第２の発光ユニットが配置された側の面と反対側の面の中央の領域に第２の反射部材が設けられている請求項１記載の表示装置。
【発明の詳細な説明】
【技術分野】
【０００１】
本発明の実施形態は、バックライト装置およびこれを用いた表示装置に関する。
【背景技術】
【０００２】
一般に、液晶表示装置は、軽量、薄型、低消費電力などの特徴を有しており、パーソナルコンピュータ、情報携帯端末、テレビジョン、あるいはカーナビシステム等の表示装置として広く用いられている。この液晶表示装置は、２次元映像を表示することが可能であるとともに、３次元映像を表示することも可能である。
【０００３】
そして液晶表示装置は、液晶表示パネルに光を照射するための光源となるバックライト装置が必要である。このバックライト装置の構造により、液晶表示装置はエッジ（側部配置）方式と直下方式とに分けられる。  
エッジ方式におけるバックライト装置は、光源が導光板の側部に配置された構成であり、光源からの光が導光板によって案内されてバックライト装置の前方に配置された液晶表示パネルに放射される。直下方式におけるバックライト装置は、視聴者から見て光源が液晶表示パネルの後方に配置された構成である。
【０００４】
液晶表示装置には、例えば画質等の異なる複数の表示モードによって映像を表示することの可能な機器が存在する。このような様々な表示状態によって映像を表示可能な機器では、それぞれの表示状態に、より適切なバックライトの制御を実行することの可能バックライト装置、表示装置が求められている。
【先行技術文献】
【特許文献】
【０００５】
【特許文献１】特開平４−２５１２２３号公報
【発明の概要】
【発明が解決しようとする課題】
【０００６】
本発明が解決しようとする課題は、表示状態に、より適したバックライトの制御を行うことのできるバックライト装置およびこれを用いた表示装置を提供することである。
【課題を解決するための手段】
【０００７】
本実施形態のバックライト装置は、光を出射する第１および第２の発光ユニットと、前記第１の発光ユニットおよび前記第２の発光ユニットとの間に設けられ、前記第１の発光ユニットに対向する第１の面から入射される光に対する反射率が、前記第２の発光ユニットに対向する第２の面から入射される光に対する反射率よりも高く、前記第２の面から入射される光に対する透過率が前記第１の面から入射される光に対する透過率よりも高い半透過反射部材と、を具備する。
【図面の簡単な説明】
【０００８】
【図１】第１実施形態による表示装置を上方からみた断面図。
【図２】半透過反射部材の一具体例を示す断面図。
【図３】第１実施形態において３次元映像の視聴時の動作を説明する図。
【図４】第１実施形態において３次元映像の視聴時の動作を説明する図。
【図５】第１実施形態において２次元映像の視聴時の動作を説明する図。
【図６】第２実施形態による表示装置を上方からみた断面図。
【図７】第２実施形態による表示装置のローカルディミング時の映像を示す図。
【図８】第２実施形態による表示装置のローカルディミング時の映像を示す図。
【図９】第３実施形態による表示装置を上方からみた断面図。
【図１０】第４実施形態による表示装置を上方からみた断面図。
【発明を実施するための形態】
【０００９】
以下に図面を参照して実施形態を説明する。
【００１０】
（第１実施形態）
第１実施形態による表示装置を図１に示す。図１は、第１実施形態による表示装置を上方からみた断面図である。この実施形態の表示装置は、液晶表示パネル１０と、バックライト装置２０とを備えている。このバックライト装置２０は、エッジ方式の液晶表示装置に用いられ、液晶表示パネル１０の背面側、すなわち図示しない視聴者とは反対側に配置される。このバックライト装置２０は、発光ユニット２１と、半透過反射部材２４と、プリズムシート２５と、発光ユニット２６と、反射部材２９とを備えている。
【００１１】
発光ユニット２１は、液晶表示パネル１０の背面側に配置され、導光板２２と、この導光板２２の側部（端面）に配置された光源２３ａ、２３ｂと、を備えている。半透過反射部材２４は、導光板２２の、液晶表示パネル１０が配置された側の面と反対側の面（液晶表示パネル１０に対向した面）に設けられる。
【００１２】
発光ユニット２６は、発光ユニット２１に対して液晶表示パネル１０が配置された側（液晶表示パネル１０と対向した側）と反対側に設けられ、導光板２７と、この導光板２７の側部（端面）に配置された光源２８ａ、２８ｂと、を備えている。プリズムシート２５は、導光板２７の、発光ユニット２１が配置された側（発光ユニット２１と対向した側）の面に設けられる。また、反射部材２９は、導光板２７の、プリズムシート２５が設けられた面と反対側の面に、全面もしくは部分的に設けられる。
【００１３】
導光板２２、２７はそれぞれ、例えば透明樹脂等の透明部材により例えば矩形形状の平板状に形成されており、それぞれの端面が対応する光源からの光が入射する光入射面となる。また、光源２３ａ、２３ｂ、２８ａ、２８ｂとしては、例えば、ＣＣＦＬ（冷陰極蛍光灯）、ＬＥＤ（発光ダイオード）等が用いられる。
【００１４】
半透過反射部材２４は、発光ユニット２１から出射された光を反射し、発光ユニット２６から出射された光を透過する。すなわち、光源２３ａ、２３ｂから出射されて導光板２２によって案内された光を反射し、光源２８ａ、２８ｂから出射されて導光板２７によって案内された光を、液晶表示パネル１０が設けられた方向に透過する。この半透過反射部材２４は図２に示すように、透明高分子フィルム２４ａと、この透明高分子フィルム２４ａおよび導光板２２の間に設けられたホログラム２４ｂとの積層構造を有している。そして、半透過反射部材２４は、発光ユニット２１から出射された光に対する反射率が発光ユニット２６から出射された光に対する反射率よりも高く、発光ユニット２６から出射された光に対する透過率が発光ユニット２１から出射された光に対する透過率よりも高くなるように構成されている。なお、図２では、ホログラム２４ｂは透明高分子フィルム２４ａの片面に設けられていたが、透明高分子フィルム２４ａの両面に設けられていてもよい。また、ホログラム２４ｂと導光板２２とは接着材で接着されていてもよい。
【００１５】
透明高分子フィルム２４ａの材料としては、透明で耐薬品性に優れたものが好ましく、例えば、ポリエステル、ポリエーテル、ポリアリレート、アクリル樹脂、メタアクリル樹脂、ポリオレフィン、ポリ塩化ビニル、ポリエーテルサルフォンなどのホモポリマー又はコポリマーが用いられる。また、透明高分子フィルム２４ａの膜厚としては、１０μｍ〜２００μｍであることが好ましい。
【００１６】
また、ホログラム２４ｂは、例えば光重合型フォトポリマー等の感光部材に画像を記録したものであって、例えば体積位相差型リップマンホログラムが用いられる。
【００１７】
プリズムシート２５は、両面に複数のプリズム（例えば、三角中プリズム）が配置された、プリズムの特性を有する光学シートである。各プリズムは、導光板２２の光入射面に平行な方向に延在するように配置されている。そして、このプリズムシート２５は、反射部材２９によって反射され導光板２７を通った光が、液晶表示パネル１０が設けられた方向に出射されるように、上記出射された光に指向性を持たせる構成となっている。反射部材２９によって反射され導光板２７を通った光が、液晶表示パネル１０が設けられた方向に出射されるように、上記出射された光に指向性を持たせる機能を有しているレンズの特性を有する光学シートを、プリズムシート２５の代わりに用いることができる。なお、プリズムシート２５は、後述するように表示装置が裸眼方式の３次元映像表示装置である場合に用いられ、３次元映像を視聴するときに利用される。
【００１８】
また、反射部材２９は、光源２８ａ、２８ｂから出射されて導光板２７によって案内された光を液晶表示パネル１０が設けられた方向に反射する。この反射部材２９としては、例えば白色顔料入り樹脂シート、アルミ反射シート、銀反射シート等が用いられる。
【００１９】
次に、本実施形態の表示装置の動作を説明する。
【００２０】
本実施形態においては、２次元映像の視聴時と、３次元映像の視聴時とで、光源２３ａ、２３ｂと、光源２８ａ、２８ｂのオン状態とオフ状態とを切り替える。例えば、３次元映像の視聴時は、導光板２７と光源２８ａ、２８ｂとを有する発光ユニット２６を使用する。すなわち光源２８ａ、２８ｂをオン状態（点灯状態）にし、光源２３ａ、２３ｂをオフ状態（消灯状態）にする。そして、この場合、プリズムシート２５は、図３、図４に示すように、視聴者１００から見て左に位置する光源２８ｂからの光が視聴者１００の左目に入射するように（図３）、視聴者１００から見て右に位置する光源２８ａからの光が視聴者１００の右目に入射するように（図４）、プリズムシート２５で光の角度を調節する。ここで、導光板２２と導光板２７との間にある半透過反射部材２４では光の方向が半透過反射部材２４の背面方向から入射されるため、光源２８ａ、２８ｂおよび導光板２７を有する発光ユニット２６から出射された光は半透過反射部材２４を透過する。このように３次元映像の視聴時は導光板２７および光源２８ａ、２８ｂを有する発光ユニット２６を使用する。
【００２１】
これに対して、２次元映像の視聴時は、図５に示すように、導光板２２および光源２３ａ、２３ｂを有する発光ユニット２１を使用する。このとき、光源２３ａ、２３ｂはオン状態で、光源２８ａ、２８ｂはオフ状態となっている。また、導光板２２と導光板２７との間にある半透過反射部材２４においては、光の方向が半透過反射部材２４の正面方向から入射されるため、光源２３ａ、２３ｂおよび導光板２２を有する発光ユニット２１から出射された光は半透過反射部材２４によって反射される。これにより、発光ユニット２１から出射された光が後面側、すなわち発光ユニット２６側に抜けるのを防止することが可能となり、光の損失を抑制することができる。
【００２２】
このように、本実施形態の表示装置は、裸眼方式の３次元映像表示装置に適用することができ、その場合に、２次元映像の視聴時および３次元映像の視聴時に応じて、すなわち異なる表示モードに応じて、２つの発光ユニットを使い分けることが可能であり、それぞれの表示モード（表示状態）に、より適したバックライト制御を行うことができる。
【００２３】
また、一般に、裸眼方式の３次元映像表示装置においては、液晶表示パネル１０の前面、すなわち視聴者側の面に図示しない視差バリアが設けられる。裸眼方式の３次元映像表示装置は、２次元映像の視聴と、３次元映像の視聴とを切り替えることが可能となる。しかし、液晶表示パネル１０の前面に視差バリアを設けた場合には、２次元映像の視聴時には、３次元映像の視聴時に比べて、輝度が低下する。
【００２４】
これに対して、本実施形態においては、発光ユニット２１と発光ユニット２６とを設けるとともに、発光ユニット２１と発光ユニット２６との間に半透過反射部材２４を設け、この半透過反射部材２４は、発光ユニット２１から出射された光に対する反射率が発光ユニット２６から出射された光に対する反射率よりも高く、発光ユニット２６から出射された光に対する透過率が発光ユニット２１から出射された光に対する透過率よりも高くなるように構成されている。このため、２次元映像の視聴時においても輝度の低下を抑制することができる。
【００２５】
（第２実施形態）
第２実施形態による表示装置を図６に示す。図６は、第２実施形態の表示装置を上方からみた断面図である。この実施形態の表示装置は、液晶表示パネル１０と、バックライト装置２０Ａとを備えている。このバックライト装置２０Ａは、図１に示す第１実施形態に係るバックライト装置２０において、プリズムシート２５を削除するとともに、導光板２７および光源２８ａ、２８ｂを含む発光ユニット２６を、導光板２７１および光源２８ａ１、２８ｂ１を含む発光ユニット２６１と、導光板２７２および光源２８ａ２、２８ｂ２を含む発光ユニット２６２とに置き換え、更に反射部材２９を反射部材２９ａ１、２９ｂ１、２９２に置き換えた構成となっている。すなわち、この第２実施形態においては、バックライト装置２０Ａは、発光ユニット２１、発光ユニット２６１、および発光ユニット２６２からなる３組の発光ユニットを備えている。
【００２６】
発光ユニット２６１は、発光ユニット２１に対して液晶表示ユニット１０が配置された側と反対側に設けられ、導光板２７１と、この導光板２７１の側部（端面）に配置された光源２８ａ１、２８ｂ１とを備えている。また、発光ユニット２６２は、発光ユニット２６１対して、発光ユニット２１が配置された側と反対側に設けられ、導光板２７２と、この導光板２７２の側部（端面）に配置された光源２８ａ２、２８ｂ２とを備えている。
【００２７】
導光板２７１、２７２はそれぞれ、例えば透明樹脂等の透明部材により例えば矩形形状の平板状に形成されており、それぞれの端面が対応する光源からの光が入射する光入射面となる。また、光源２８ａ１、２８ｂ１、２８ａ２、２８ｂ２としては、例えば、ＣＣＦＬ（冷陰極蛍光灯）、ＬＥＤ（発光ダイオード）等が用いられる。
【００２８】
反射部材２９ａ１、２９ｂ１は、導光板２７１の、発光ユニット２１が配置された側の面と反対側の面の両側の領域に設けられ、光源２８ａ１、２８ｂ１から出射されて導光板２７１に案内された光を液晶表示パネル１０が設けられた方向に反射する。反射部材２９２は、導光板２７２の、発光ユニット２６１が配置された側の面と反対側の面の中央の領域に設けられ、光源２８ａ２、２８ｂ２から出射されて導光板２７２の中央の領域に案内された光を液晶表示パネル１０が設けられた方向に反射する。
【００２９】
次に、本実施形態の動作を説明する。
【００３０】
本実施形態においては、例えば、ローカルディミング視聴時とバックライト全面点灯視聴時では、発光ユニット２１、発光ユニット２６１、および発光ユニット２６２における発光のオン状態およびオフ状態を切り替える。
【００３１】
ローカルディミング視聴時では、発光ユニット２６１と発光ユニット２６２の光源２８ａ１、２８ｂ１、２８ａ２、２８ｂ２を使用する。例えば図７に示すように、液晶表示パネル１０の中央部を明るくしたい場合、発光ユニット２６２の光源２８ａ２、２８ｂ２を点灯状態（オン状態）にし、発光ユニット２６１の光源２８ａ１、２８ｂ１をオフ状態にする。なお、図７は、図示しない視聴者から見た液晶表示パネル１０に表示される映像を示す。この場合、発光ユニット２６２の中央領域に配置した反射部材２９２により反射された発光ユニット２６２から出射された光は、発光ユニット２６１の導光板２７１の中央領域を透過し、更に半透過反射部材２４の中央部を透過するとともに発光ユニット２１の導光板２２の中央部を透過し、これにより、図７に示すように、液晶表示パネル１０の中央部が明るくなる。
【００３２】
また、図８に示すように、視聴者からみて、液晶表示パネル１０の左端を明るくしたい場合、発光ユニット２６１の左端の光源２８ｂ１を点灯し、光源２８ａ１を消灯状態とする。なお、図８は、図示しない視聴者から見た液晶表示パネル１０に表示される映像を示す。この場合、発光ユニット２６１の光源２８ｂ１から出射された光は、導光板２７１に案内され反射部材２９ｂ１により反射され、半透過反射部材２４、および導光板２２を透過し、液晶表示パネル１０の左端が明るくなる。
【００３３】
このように、ローカルディミング視聴時は第３および第４の発光ユニット２６１、２６２を使用する。
【００３４】
これに対して、バックライト全面点灯視聴時には、発光ユニット２１を使用する。すなわち、発光ユニット２６１、２６２の光源２８ａ１、２８ｂ１、２８ａ２、２８ｂ２をオフ状態とし、発光ユニット２１の光源２３ａ、２３ｂをオン状態として使用する。この場合、光源２３ａ、２３ｂから出射されて導光板２２によって案内された光は半透過反射部材２４によって反射され、発光ユニット２１から液晶表示パネル１０の方向に向かって光りが出射される。
【００３５】
このように、ローカルディミング視聴時とバックライト全面点灯視聴時、すなわち異なる表示状態で、発光ユニットを切替える理由として、低画質モードの場合に光源を減らして省エネをはかることがあげられる。高画質を目的としたローカルディミング視聴の場合、エリアごとに光源を増やさなくてはならず、点灯する光源が多く消費電力が大きい。一方、全ての画像で全面点灯時には光源の数を減らすことができる。そこで、低画質モードでは全面点灯用の発光ユニット２１を使用することで、消費電力を抑制することができる。
【００３６】
以上説明したように、本実施形態によれば、ローカルディミング視聴時とバックライト全面点灯視聴時、すなわち異なる表示状態で、発光ユニットを切替えることが可能となり、それぞれの表示状態に適したバックライト制御を行うことができる。
【００３７】
（第３実施形態）
第３実施形態による表示装置を図９に示す。図９は、第３実施形態による表示装置を上方からみた断面図である。この実施形態の表示装置は、液晶表示パネル１０と、バックライト装置２０Ｂとを備えている。バックライト装置２０Ｂは、発光ユニット２１と、半透過反射部材２４と、拡散板３０と、複数の光源３１ａ，・・・，３１ｇを有する直下方式の発光ユニット３１と、反射板３２とを備えている。
【００３８】
発光ユニット２１は、第１実施形態で説明したと同様に、液晶表示パネル１０の背面側に配置され、導光板２２と、この導光板２２の側部（端面）に配置された光源２３ａ、２３ｂと、を備えている。半透過反射部材２４は、導光板２２の、液晶表示パネル１０が配置された側の面と反対側の面に設けられ、第１実施形態で説明したと同様の機能を有している。すなわち、半透過反射部材２４は、発光ユニット２１からの光を反射し、発光ユニット３１からの光を透過する。
【００３９】
拡散板３０は、発光ユニット２１に対して、液晶表示パネル１０が配置された側と反対側に配置され、液晶表示パネル１０の画面表示上の光源の位置に対応する局在する輝度を分散させる。なお、拡散板３０は省略してもよいし、液晶表示パネル１０と導光板２２との間に設けてよい。
【００４０】
発光ユニット３１は、拡散板３０に対して、発光ユニット２１が設けられた側と反対側に配置され、拡散板３０の、発光ユニット２１が設けられた側の面と反対側の面に沿って複数の光源３１ａ，・・・，３１ｇが配列された構成となっている。複数の光源３１ａ，・・・，３１ｇとしては、例えば、ＣＣＦＬ（冷陰極蛍光灯）、ＬＥＤ（発光ダイオード）等が用いられる。この発光ユニット３１は、ローカルディミング視聴時に使用することが可能である。
【００４１】
反射板３２は、発光ユニット３１に対して、拡散板３０が配置された側と反対側に設けられ、複数の光源３１ａ，・・・，３１ｇからの光を、液晶表示パネル１０が設けられた方に反射する。
【００４２】
この第３実施形態においては、ローカルディミング視聴時に発光ユニット３１を使用し、全面点灯視聴時に発光ユニット２１を使用することが可能である。この場合、高画質モードでは、直下型の発光ユニット３１が光源を多数点灯させ、低画質モードでは全面点灯用の発光ユニット２１を使用することで、消費電力を抑制することができる。
【００４３】
この第３実施形態も第２実施形態と同様に、異なる表示状態で、発光ユニットを切替えることが可能となり、それぞれの表示状態に適したバックライト制御を行うことができる。
【００４４】
（第４実施形態）
第４実施形態による表示装置を図１０に示す。図１０は、第４実施形態による表示装置を上方からみた断面図である。この実施形態の表示装置は、液晶表示パネル１０と、バックライト装置２０Ｃとを備えている。バックライト装置２０Ｃは、発光ユニット２１と、半透過反射部材２４と、多視差を発生可能な発光ユニット３３と、反射板３６とを備えている。
【００４５】
発光ユニット２１は、第１実施形態で説明したと同様に、液晶表示パネル１０の背面側に配置され、導光板２２と、この導光板２２の側部（端面）に配置された光源２３ａ、２３ｂと、を備えている。半透過反射部材２４は、導光板２２の、液晶表示パネル１０が配置された側の面と反対側の面に設けられ、第１実施形態で説明したと同様の機能を有している。すなわち、半透過反射部材２４は、発光ユニット２１からの光を反射し、発光ユニット３３からの光を透過する。
【００４６】
発光ユニット３３は、発光ユニット２１に対して、液晶表示ユニット１０が配置された側と反対側に設けられ、光線制御部３４と、光源部３５とを備えている。光線制御部３４は、光源部３５からの光線を制御するパララックスバリア（視差バリア）である。光線制御部３４としては、互いに平行に延伸するシリンドカルレンズアレイ（レンチキュラーシート）、ピンホールアレイ、またはレンズアレイ等が用いられる。なお、図１０に示す本実施形態では、シリンドカルレンズが用いられている。光源部３５は、光線制御部３４に対して、発光ユニット２１が配置された側と反対側に設けられ、視差バリアが配列された方向、例えばシリンドカルレンズの各稜線に沿って延伸する光源３５ａ，３５ｂ，３５ｃ，３５ｄ，３５ｅ，３５ｆ，３５ｇ，３５ｈを備えている。すなわち、光源３５ａ，３５ｂ，３５ｃ，３５ｄ，３５ｅ，３５ｆ，３５ｇ，３５ｈのそれぞれは、対応するシリンドカルレンズの稜線に沿って設けられている。したがって、発光ユニット３３から指向性を有する多視差の光が発生される。なお、本実施形態においては、光源３５ａ，３５ｂ，３５ｃ，３５ｄ，３５ｅ，３５ｆ，３５ｇ，３５ｈのそれぞれは、対応するシリンドカルレンズの稜線に沿って設けられていたが、対応するシリンドカルレンズの稜線に対してそれぞれ傾いて設けられていてもよい。
【００４７】
反射板３６は、発光ユニット３３に対して、発光ユニット２１が配置された側と反対側に設けられ、複数の光源３５ａ，・・・，３５ｈからの光を、液晶表示パネル１０が設けられた方に反射する。
【００４８】
このように構成された本実施形態においては、表示装置を裸眼方式の３次元映像表示装置に適用することができる。この場合、３次元映像の視聴時には、発光ユニット２１を使用しないで発光ユニット３３を使用し、２次元映像の視聴時には発光ユニット２１を使用するが発光ユニット３３を使用しない。すなわち、３次元映像の視聴時と、２次元映像の視聴時とで、複数組の発光ユニットを使いわけるので、消費電力を抑制することができる。
【００４９】
一般に、裸眼方式の３次元映像表示装置においては、液晶表示パネル１０の前面、すなわち視聴者側の面に図示しない視差バリアが設けられる。裸眼方式の３次元映像表示装置は、２次元映像の視聴と、３次元映像の視聴とを切り替えることが可能となる。しかし、液晶表示パネル１０の前面に視差バリアを設けた場合には、２次元映像の視聴時には、３次元映像の視聴時に比べて、輝度が低下する。
【００５０】
これに対して、本実施形態においては、半透過反射部材２４を用いているので、第１実施形態と同様に、２次元映像の視聴時でも輝度の低下を抑制することができる。
【００５１】
以上説明したように、この第４実施形態も第１実施形態と同様に、異なる表示状態で、発光ユニットを切替えることが可能となり、それぞれの表示状態に適したバックライト制御を行うことができる。
【００５２】
また、上記第１乃至第４実施形態においては、表示状態に応じて複数の発光ユニットを使い分けているので、光の特性の切り替えを行うことができる。
【００５３】
本発明のいくつかの実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００５４】
１０  液晶表示パネル    
２０  バックライト装置
２０Ａ  バックライト装置
２０Ｂ  バックライト装置
２０Ｃ  バックライト装置
２１  発光ユニット
２２  導光板
２３ａ、２３ｂ  光源
２４  半透過反射部材
２５  プリズムシート
２６  発光ユニット
２７  導光板
２８ａ、２８ｂ  光源
２９  反射部材  
【要約】 
【課題】表示モードが異なっていてもそれぞれの表示モードに適したバックライトの制御を行うことを可能にする。
【解決手段】本実施形態によるバックライト装置は、光を出射する第１および第２の発光ユニットと、第１の発光ユニットおよび第２の発光ユニットとの間に設けられ、第１の発光ユニットに対向する第１の面から入射される光に対する反射率が、第２の発光ユニットに対向する第２の面から入射される光に対する反射率よりも高く、第２の面から入射される光に対する透過率が第１の面から入射される光に対する透過率よりも高い半透過反射部材と、を具備する。
【選択図】図１【図１】
0004825926.tif 000002
【図２】
0004825926.tif 000003
【図３】
0004825926.tif 000004
【図４】
0004825926.tif 000005
【図５】
0004825926.tif 000006
【図６】
0004825926.tif 000007
【図７】
0004825926.tif 000008
【図８】
0004825926.tif 000009
【図９】
0004825926.tif 000010
【図１０】
0004825926.tif 000011